(57)【特許請求の範囲】
【請求項１】
傾斜床の上に形成された雪層を冷却する冷却手段を前記傾斜床の上に設け、雪面の温度を前記雪面上空気の露点温度に一致させるように、前記冷却手段の冷却量を調整する冷却制御手段を設けた屋内雪層施設の雪面温度管理装置であって、
前記雪面上空気の露点温度を外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量より推定する空気側温度推定手段と、
前記雪面の温度を検出する雪層側温度検出手段とを設け、
前記冷却制御手段を、前記空気側温度推定手段と前記雪層側温度検出手段との検出情報に基づいて、前記雪面の温度を前記雪面上空気の露点温度に一致させるように、前記冷却手段の冷却量を調整することを特徴とする屋内雪層施設の雪面温度管理装置。
【請求項２】
前記冷却手段の冷媒還温度の設定値を推定する冷却量推定手段を設け、前記冷却制御手段を、前記空気側温度推定手段と前記雪層側温度検出手段と前記冷却量推定手段との検出情報に基づいて、前記雪面の温度を前記雪面上空気の露点温度に一致させるように、前記冷却手段の冷却量を調整する構成としてある請求項１記載の屋内雪層施設の雪面温度管理装置。
【発明の詳細な説明】
【０００１】
【発明の属する技術分野】
本発明は、傾斜床の上に形成された雪層を冷却する冷却手段を前記傾斜床の上に設け、雪面の温度を前記雪面上空気の露点温度に一致させるように、前記冷却手段の冷却量を調整する冷却制御手段を設けた屋内雪層施設の雪面温度管理装置に関する。
【０００２】
【従来の技術】
従来、屋内雪層施設において、雪面の融解を抑制防止すべく雪面上空気の温度を調整管理することは一般によく行われており、かつ、雪面と雪面上空気との間の水分移動を抑制防止すべく雪面上空気の湿度を調整管理することが行われており[特公平６−４９６３]、かつ、雪面を滑走適合状態に保つべく雪面の温度が所定の目標温度となるように調整管理することが行われている[特公平７−１１１２９]。
【０００３】
雪面の融解を抑制防止すべく雪面上空気の温度を調整管理するだけでは、雪面の温度が雪面上空気の露点温度よりも低い場合に生じる雪面での水分凝結、着霜を抑制防止できないことと合わせ、雪面の温度が雪面上空気の露点温度よりも高い場合に生じる雪面からの水分昇華を抑制防止できない。例えば、図３に示すように、温度５℃相対湿度５０％の空気条件４６を持った雪面上空気の露点４７における露点温度は約−３℃であり、そのとき、雪面の温度が−４℃であれば雪面上空気から雪面への水分凝結、着霜が発生し、かつ、雪面の温度が−２℃であれば雪面から雪面上空気への水分昇華が発生するので、それを抑制防止するためには雪面の温度を−３℃にする必要がある。
【０００４】
又、雪面と雪面上空気との間の水分移動を抑制防止すべく雪面上空気の湿度を調整管理する[特公平６−４９６３]だけでは、温度１０℃の空気条件５２では温度が高すぎて雪面の融解を防止することができないし、かつ、温度０℃の空気条件５３では温度が低すぎて雪面を滑走適合状態に保つことができないのみならず、雪面上の滑走域を滑走者にとってサーマルショックの少ない快適域に保つこともできない。
【０００５】
又、雪面の融解を抑制防止すべく雪面上空気の温度を調整管理し、かつ、雪面と雪面上空気との間の水分移動を抑制防止すべく雪面上空気の湿度を調整管理する[特公平６−４９６３]については、図４に示すように、外気温度５４等の外気条件の変動の影響により、屋内雪層施設内の空気の温度５５、及び、屋内雪層施設内の空気の湿度５６、及び、屋内雪層施設内の空気の露点温度５７、さらには雪面上空気の露点温度を精度良く調整管理することができない状況がしばしば発生し、このとき雪面の温度を調整管理する必要があるにもかかわらず、雪面と雪面上空気との間の水分移動を抑制防止すべく雪面の温度を雪面上空気の露点温度に一致させるように調整管理することへの配慮がなされていなかった。
【０００６】
又、雪面を滑走適合状態に保つべく雪面の温度が所定の目標温度となるように調整管理することが行われている[特公平７−１１１２９]が、雪面上空気の露点温度を雪面の温度にまで高めることができない状況がしばしば発生(主に冬期)し、このとき雪面の温度を下げる必要があるにもかかわらず、雪面と雪面上空気との間の水分移動を抑制防止すべく雪面の温度を雪面上空気の露点温度に一致させるように調整管理することへの配慮がなされていなかった。
【０００７】
【発明が解決しようとする課題】
従来、雪面上空気の露点温度の検出について、滑走者の障害となるので、露点温度検出センサを雪面直上の空中に常時適切に配置することは実際上不可能であることから、雪面直上の空中に配置した露点温度検出センサによる雪面上空気の露点温度検出に基づき冷却手段の冷却量を調整する冷却制御手段を構成することができなかった。
【０００８】
又、湿度的には雪面を滑走適合状態に保ち得る湿度であるにもかかわらず、雪面がいわゆる滑り心地の悪い状態となる問題があった。
【０００９】
そして、この問題について研究した結果、屋内雪層施設内における空気の温度や滑走者の身体活動度等の影響を受けて雪面の温度が変化するが、雪面の温度の変化を検出してから雪面の融解を抑制防止すべく低温冷凍機の出力を調節しても手遅れになるので、屋内雪層施設内における空気の温度や滑走者の身体活動度等の影響を受けないように雪面の温度を充分低くする必要があり、この過剰冷却が雪面の滑りの悪い原因となっていることが分かった。
【００１０】
本発明は上述の問題を解消し、屋内雪層施設内における空気の温湿度の変化を予測し、かつ、滑走者数の変動を考慮し、かつ、雪面上空気の露点温度を推定し、温湿度的に雪面を滑走適合状態に保つべく雪面の温度を調整する屋内雪層施設の雪面温度管理装置を提供することを目的とする。
【００１１】
【課題を解決するための手段】
本発明による屋内雪層施設の雪面温度管理装置の第１の特徴手段は、雪層を冷却手段により冷却して、雪面上空気から雪面への水分凝結、着霜を防止し、かつ、前記雪面から前記雪面上空気への水分昇華を防止することにあり、その作用、効果は次の通りである。
【００１２】
雪面に対する調整として、雪層を冷却手段により冷却して、これによって、屋内雪層施設内における空気の温湿度や滑走者の呼吸等による雪面上空気の湿度の変化に対しても、雪面の温度を雪面上空気の露点温度に一致させることによって、換言すれば、雪面の蒸気圧を雪面上空気の水分蒸気圧に一致させることで、雪面と雪面上空気との間の水分移動を抑制防止できる。
【００１３】
本発明による屋内雪層施設の雪面温度管理装置の第２の特徴手段は、雪面上空気の露点温度を推定する空気側温度推定手段と、前記雪面の温度を検出する雪層側温度検出手段とを設け、冷却制御手段を、前記空気側温度推定手段と前記雪層側温度検出手段との検出情報に基づいて、雪面の温度を雪面上空気の露点温度に一致させるように、前記冷却手段の冷却量を調整する構成としてあることにある。
【００１４】
この第２の特徴手段によれば、外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１４者と雪面上空気の露点温度との間には、特定の相関関係があるので、外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１４者を把握すれば、雪面上空気の露点温度を前述のごとき露点温度検出センサにより直接検出せずとも、上記の特定の相関関係に基づき雪面上空気の露点温度を把握することができる。
【００１５】
又、この第２の特徴手段によれば、雪面の温度を雪面上空気の露点温度に一致させるように傾斜床の上に形成された雪層を冷却する冷却手段の冷却量を調整するための入力情報として、雪面の温度情報に加え、外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１４者の情報をも導入することにより、雪面の温度をより一層精度良く雪面上空気の露点温度に調整することができる。
【００１６】
本発明による屋内雪層施設の雪面温度管理装置の第３の特徴手段は、前記冷却手段の冷媒還温度の設定値を推定する冷却量推定手段を設け、前記冷却制御手段を、前記空気側温度推定手段と前記雪層側温度検出手段と前記冷却量推定手段との検出情報に基づいて、前記雪面の温度を前記雪面上空気の露点温度に一致させるように、前記冷却手段の冷却量を調整する構成としてあることにある。
【００１７】
この第３の特徴手段によれば、屋内雪層施設内の空気温度と、雪面上空気の露点温度と、雪面の温度と、氷温度と、冷却手段の冷媒還温度との５者と冷却手段の冷媒還温度の設定値との間には、特定の相関関係があるので、屋内雪層施設内の空気温度と、雪面上空気の露点温度と、雪面の温度と、氷温度と、冷却手段の冷媒還温度との５者を把握すれば、上記の特定の相関関係に基づき冷却手段の冷媒還温度の設定値を把握することができる。
【００１８】
又、この第３の特徴手段によれば、雪面の温度を雪面上空気の露点温度に一致させるように傾斜床の上に形成された雪層を冷却する冷却手段の冷却量を調整するための入力情報として、雪面の温度と、外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１５者の情報に加え、氷温度情報をも導入することにより、雪面の温度をより一層精度良く雪面上空気の露点温度に調整することができる。
【００１９】
本発明による屋内雪層施設の雪面温度管理装置の第４の特徴手段は、前記冷却制御手段により前記雪面上空気の露点温度を推定し、かつ、前記雪面の温度を前記雪面上空気の露点温度に一致させるように、前記冷却手段による冷却量を調整することにある。
【００２０】
この第４の特徴手段によれば、雪面の温度が雪面上空気の露点温度よりも低い場合に生じる雪面での水分凝結、着霜を抑制防止できることと合わせ、雪面の温度が雪面上空気の露点温度よりも高い場合に生じる雪面からの水分昇華を抑制防止でき、このように、雪面の滑り心地を悪くする原因である雪面での水分凝結、着霜と雪面からの水分昇華との両方を抑制防止できることで、雪面を滑走適合状態に維持することができる。
【００２１】
特に、樹脂等の固体粒子を含む雪層を作って雪面を形成する場合では、雪面から水分昇華が起こると、上記の含有固体粒子が雪面上に多く露呈して雪面の滑走性が大幅に悪化することから、上記のごとく雪面からの水分昇華を合わせて防止することが滑走適合状態を維持する上で有効である。
【００２２】
【発明の実施の形態】
以下図面を参照して本発明の実施形態例を詳細に説明する。
【００２３】
［実施形態例１］
図１はスノーボードゲレンデの設備構成を示し、１は建屋、２はゲレンデとしての雪層３を形成する傾斜床を表す。
【００２４】
傾斜床２には、低温冷凍機４により冷却した冷媒(例えば、−１０℃、−２０℃のブライン)を循環路５を介して循環させる冷却手段としての熱交換器６が併設してあり、この熱交換器６により、雪層３を冷却して、傾斜床２上の雪層３を維持するようにしてある。
【００２５】
そして、この雪層３に対する冷却において、空気側温度推定手段により検出される雪面上空気Ｂの露点温度と雪層側温度検出手段により検出される雪面の温度に基づき、雪面の温度を雪面上空気Ｂの露点温度に一致させるように、換言すれば、雪面の水蒸気分圧を雪面上空気Ｂの水蒸気分圧に一致させるように、冷却手段としての熱交換器６の冷却量を調整する雪面温度管理装置７を設け、この雪面温度管理装置７によって、屋内空間Ａ中の水分が雪面で凝結、着霜することによる雪層３の厚さ増大、及び、それに伴うアイスバーンの発生と、雪層３中の水分が屋内空間Ａ中に昇華することによる雪層３の厚さ減少、及び、それに伴うざらめ雪の発生との両方を防止するようにしてある。
【００２６】
屋内空間Ａに対する空調設備としては，冷却減湿器８、及び、加熱器９、及び、加湿器１０を内装した空調機１１を設け、吸い込み口１２からの還気Ｃと外気ダクト１３からの取り入れ外気Ｄとの混合空気を還気ダクト１４を通じて空調機１１に取り入れて温湿度調整し、その調整空気を給気ダクト１５を介して給気口１６から屋内空間Ａに供給することで、屋内空間Ａを温湿度調整するようにしてある。
【００２７】
そして、この屋内空間Ａに対する空調において、温度センサ１７、及び、湿度センサ１８により検出される屋内空間Ａの温湿度に基づき、屋内空間Ａの温湿度を目標温湿度(例えば、乾球温度５℃相対湿度５０％、つまり露点温度約−３℃)に一致させるように、冷却減湿器８の冷却減湿量を調整し、かつ、加熱器９の加熱量を調整し、かつ、加湿器１０の加湿量を調整する温湿度制御器１９を設け、これによって、雪面を滑走適合状態に保つようにしてあり、かつ、雪面上の滑走域を温度が低すぎることがなくて滑走者にとってサーマルショックの少ない快適域に保つようにしてある。
【００２８】
２０は、外気取り入れ量に相当する量の屋内空気を屋外へ排出する排気風路である。
【００２９】
熱交換器６による雪層３の冷却において、雪面の温度を雪面上空気Ｂの露点温度に調整、維持するについては、図１に示すように、雪面上空気Ｂの露点温度を推定する空気側温度推定手段として、外気温度センサ２１と、外気湿度センサ２２と、日射量センサ２３と、入場者数を計数する出退管理装置２４と、空調機の給気温度センサ２５と、空調機の還気温度センサ２６と、空調機の給気露点温度センサ２７と、空調機の還気露点温度センサ２８と、空調機の送風量センサ２９と、屋内雪層施設内の空気温度センサ３０と、屋内雪層施設内の空気湿度センサ３１と、冷却手段の冷媒往温度センサ３２と、冷却手段の冷媒還温度センサ３３と、冷却手段の冷媒流量センサ３４を設けてある。又、これら空気側温度推定手段に対して、雪面の温度を検出する雪層側温度検出手段として、雪面の温度センサ３５を設けてある。
【００３０】
さらに、冷却手段の冷媒還温度の設定値を推定する冷却量推定手段として、屋内雪層施設内の空気温度センサ３６と、雪面の温度センサ３７と、氷温度センサ３８と、冷却手段の冷媒還温度センサ３９を設けてある。
【００３１】
そして、図２に示すように、あらかじめ雪面温度管理装置７に入力してある外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１４者と雪面上空気Ｂの露点温度４０との相関関係から、上記各種センサ２１〜３４の検出情報に基づき雪面上空気Ｂの露点温度４０を推定して、雪面の温度を、その推定された雪面上空気Ｂの露点温度４０に一致させるように低温冷凍機４を出力調整して熱交換器６の冷却量を調整する雪面温度管理装置７を設けてある。
【００３２】
尚、雪面温度管理装置７内部では、外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１４者のデータは、制御応答の時間遅れを考慮するために、現在(τ)のデータの他に遅延回路４１によって、現在よりも１時刻前(τ−１)のデータ、現在よりも２時刻前(τ−２)のデータ、現在よりも３時刻前(τ−３)のデータ、現在よりも４時刻前(τ−４)のデータ、現在よりも５時刻前(τ−５)のデータといった標本化データとして取り扱っている。
【００３３】
又、ゲレンデ温湿度予測ニューロモデル４２には、３層構造４２入力２出力形式の階層型ニューラルネットワークモデルを用いている。
【００３４】
又、雪面上空気絶対湿度増減量推定ファジィモデル４３には、２入力１出力形式のファジィ推論モデルを用いている。
【００３５】
尚、ファジィルールについては、
（１)  もし、入場者の潜熱の変化速度が正で、入場者の潜熱の変化加速度が正であれば、入場者の潜熱増減量は正に大きい。
【００３６】
(２)  もし、入場者の潜熱の変化速度が正で、入場者の潜熱の変化加速度が正でないならば、入場者の潜熱増減量は正に少さい。
【００３７】
(３)  もし、入場者の潜熱の変化速度がゼロで、入場者の潜熱の変化加速度が負であれば、入場者の潜熱増減量は負に小さい。
【００３８】
(４)  もし、入場者の潜熱の変化速度が負で、入場者の潜熱の変化加速度が負であれば、入場者の潜熱増減量は負に大きい。
【００３９】
(５)  もし、入場者の潜熱の変化速度が負で、入場者の潜熱の変化加速度が負でないならば、入場者の潜熱増減量は負に小さい。
【００４０】
(６)  もし、入場者の潜熱の変化速度がゼロで、入場者の潜熱の変化加速度が正であれば、入場者の潜熱増減量は正に小さい。
【００４１】
(７)  もし、入場者の潜熱の変化速度がゼロで、入場者の潜熱の変化加速度がゼロであれば、入場者の潜熱増減量は何もしない。
【００４２】
等、が組み込まれている。
【００４３】
尚、低温冷凍機４を出力調整するについては、あらかじめ雪面温度管理装置７に入力してある屋内雪層施設内の空気温度と、推定された雪面上空気Ｂの露点温度４０と、雪面の温度と、氷温度と、冷却手段の冷媒還温度との５者と冷却手段の冷媒還温度の設定値との相関関係から、上記各種センサ３６〜３９の検出情報に基づき冷却手段の冷媒還温度の設定値を推定して、冷却手段の冷媒還温度が、推定された冷却手段の冷媒還温度の設定値よりも高い状態では低温冷凍機４の出力を増大させ、一方、冷却手段の冷媒還温度が、推定された冷却手段の冷媒還温度の設定値よりも低い状態では低温冷凍機４の出力を減少させるといった調整形態をとっている。
【００４４】
尚、雪面温度管理装置７内部では、屋内雪層施設内の空気温度と、推定された雪面上空気Ｂの露点温度４０と、雪面の温度と、氷温度と、冷却手段の冷媒還温度との５者のデータは、制御応答の時間遅れを考慮するために、現在(τ)のデータの他に遅延回路４４によって、現在よりも１時刻前(τ−１)のデータ、現在よりも２時刻前(τ−２)のデータといった標本化データとして取り扱っている。
【００４５】
又、冷媒還温度予測ニューロモデル４５には、３層構造１１入力１出力形式の階層型ニューラルネットワークモデルを用いている。
【００４６】
尚、外気温度と、外気湿度と、日射量と、入場者数と、空調機の給気温度と、空調機の還気温度と、空調機の給気露点温度と、空調機の還気露点温度と、空調機の送風量と、屋内雪層施設内の空気温度と、屋内雪層施設内の空気湿度と、冷却手段の冷媒往温度と、冷却手段の冷媒還温度と、冷却手段の冷媒流量との１４者と雪面上空気Ｂの露点温度４０との相関関係をあらかじめ雪面温度管理装置７に入力しておくについては、空気側及び雪層側の各種条件を実測する実験を行い、そして、この実験結果から上記各種センサ２１〜３４の検出情報と推定された雪面上空気Ｂの露点温度４０との関係を定式化して、これらの定式化データを雪面温度管理装置７に入力するようにしてある。
【００４７】
尚、屋内雪層施設内の空気温度と、推定された雪面上空気Ｂの露点温度４０と、雪面の温度と、氷温度と、冷却手段の冷媒還温度との５者と冷却手段の冷媒還温度の設定値との相関関係をあらかじめ雪面温度管理装置７に入力しておくについては、空気側及び雪層側の各種条件を実測する実験を行い、そして、この実験結果から上記各種センサ３６〜３９の検出情報と実測された冷却手段の冷媒還温度との関係を定式化して、これらの定式化データを雪面温度管理装置7に入力するようにしてある。
【００４８】
尚、雪層３の形成方法については、
(１)  屋内空間Ａを例えば−６℃、−１０℃程度に冷却した状態で冷水を噴霧することにより、噴霧冷水を氷粒子とし、この氷粒子を、雪層３を形成する傾斜床２上に積もらせて、雪層３を形成する方法。
【００４９】
(２)  熱交換器６により液(例えば、水や界面活性材を混入した水)を、雪層３を形成する傾斜床２上で凍結させて凍結層を形成し、この凍結層の表層を細かく粉砕して、凍結層上に雪層３を形成する方法。
【００５０】
(３)  粉粒状の氷結物を、雪層３を形成する傾斜床２上に散布して積層させて、雪層３を形成する方法。
【００５１】
(４)  熱交換器６により、雪層３を形成する傾斜床２上で氷を含む水膨潤性樹脂を凍結させて凍結層を形成し、この凍結層の表層を細かく粉砕して、凍結層上に雪層3を形成する方法。
【００５２】
等、各種の方法を選定できる。
【００５３】
［実施形態例２］
次に、実施形態例２を説明する。
【００５４】
上記実施形態例１においては、空気側温度推定手段（外気温度センサ２１、外気湿度センサ２２、日射量センサ２３、入場者数を計数する出退管理装置２４、空調機の給気温度センサ２５、空調機の還気温度センサ２６、空調機の給気露点温度センサ２７、空調機の還気露点温度センサ２８、空調機の送風量センサ２９、屋内雪層施設内の空気温度センサ３０(空気側温度推定手段)、屋内雪層施設内の空気湿度センサ３１、冷却手段の冷媒往温度センサ３２、冷却手段の冷媒還温度センサ３３(空気側温度推定手段)、冷却手段の冷媒流量センサ３４）を設け、又、雪層側温度検出手段（雪面の温度センサ３５）を設け、又、冷却量推定手段（屋内雪層施設内の空気温度センサ３６、雪面の温度センサ３７、氷温度センサ３８、冷却手段の冷媒還温度センサ３９）を設けてあるが、屋内雪層施設内の空気温度センサ３０と屋内雪層施設内の空気温度センサ３６、及び、冷却手段の冷媒還温度センサ３３と冷却手段の冷媒還温度センサ３９、及び、雪層側温度検出手段３５と雪面の温度センサ３７はそれぞれ共有しても良い。
【００５５】
前記実施形態例においては、空気側温度推定として、１４点で推定するようにしたが、１３点以下や１５点以上で推定したり、又、雪層側温度検出として、１点で検出するようにしたが、複数点で検出したり、又、冷却量推定として、５点で検出するようにしたが、４点以下や６点以上で検出しても良い。
【００５６】
前記実施形態例においては、遅延回路４１は５時刻分の標本化データを蓄積したが、４時刻分以下や６時刻分以上の標本化データを蓄積しても良い。
【００５７】
前記実施形態例においては、遅延回路４４は２時刻分の標本化データを蓄積したが、１時刻分や３時刻分以上の標本化データを蓄積しても良い。
【００５８】
以上のように本発明では、図３に示すように、雪面上空気が温度５℃相対湿度５０％の空気条件４６になった場合には、その露点４７における露点温度約−３℃に雪面の温度を一致させることにより、かつ、雪面上空気が温度４℃相対湿度５０％の空気条件４８になった場合には、その露点４９における露点温度約−４℃に雪面の温度を一致させることにより、かつ、雪面上空気が温度７℃相対湿度４５％の空気条件５０になった場合は、その露点５１における露点温度約−２℃に雪面の温度を一致させることにより、雪面と雪面上空気との間の水分移動を抑制防止できる。
【００５９】
前記各実施形態例には次の発明が含まれる。
【００６０】
（１）  傾斜床２の上に形成された雪層３を冷却する冷却手段（熱交換器６）を前記傾斜床２の上に設け、雪面の温度を前記雪面上空気Ｂの露点温度４０に一致させるように、前記冷却手段（熱交換器６）の冷却量を調整する制御手段を設けた屋内雪層施設の雪面温度管理装置であって、前記雪層３を前記冷却手段（熱交換器６）により冷却して，前記雪面上空気Ｂから前記雪面への水分凝結、着霜を防止し、かつ、前記雪面から前記雪面上空気Ｂへの水分昇華を防止する屋内雪層施設の雪面温度管理装置。
【００６１】
（２）  前記雪面上空気Ｂの露点温度４０を推定する空気側温度推定手段(外気温度センサ２１、外気湿度センサ２２、日射量センサ２３、入場者数を計数する出退管理装置２４、空調機の給気温度センサ２５、空調機の還気温度センサ２６、空調機の給気露点温度センサ２７、空調機の還気露点温度センサ２８、空調機の送風量センサ２９、屋内雪層施設内の空気温度センサ３０、屋内雪層施設内の空気湿度センサ３１、冷却手段の冷媒往温度センサ３２、冷却手段の冷媒還温度センサ３３、冷却手段の冷媒流量センサ３４)と、前記雪面の温度を検出する雪層側温度検出手段(雪面の温度センサ３５)とを設け，前記制御手段を、前記空気側温度推定手段と前記雪層側温度検出手段との検出情報に基づいて、前記雪面の温度を前記雪面上空気Ｂの露点温度４０に一致させるように，前記冷却手段（熱交換器６）の冷却量を調整する構成としてある前記（１）記載の屋内雪層施設の雪面温度管理装置。
【００６２】
（３）  前記冷却手段（熱交換器６）の冷媒還温度の設定値を推定する冷却量推定手段(屋内雪層施設内の空気温度センサ３６、雪面の温度センサ３７、氷温度センサ３８、冷却手段の冷媒還温度センサ３９)を設け、前記制御手段を、前記空気側温度推定手段と前記雪層側温度検出手段と前記冷却量推定手段との検出情報に基づいて、前記雪面の温度を前記雪面上空気Ｂの露点温度４０に一致させるように、前記冷却手段（熱交換器６）の冷却量を調整する構成としてある前記（１）記載の屋内雪層施設の雪面温度管理装置。
【００６３】
（４）  前記制御手段により前記雪面上空気Ｂの露点温度４０を推定し、かつ、前記雪面の温度を前記雪面上空気Ｂの露点温度４０に一致させるように、前記冷却手段（熱交換器６）による冷却量を調整する前記（１）〜（３）のいずれかに記載の屋内雪層施設の雪面温度管理装置。
【００６４】
尚、図面との対照を便利にするために各項に符号を記したが、当該記入により特許請求の範囲が限定されるものではない。
【００６５】
【発明の効果】
以上述べたように本発明によれば、雪面上での水分移動の防止をもって、屋内雪層施設における雪面を滑り心地の良い状態に維持し得るに至った。
【００６６】
又、雪面の融解を冷却により抑制防止する場合では、上記のごとく雪面上での水分移動を防止することによって、雪面上での水分移動に伴う雪面冷却の負荷増大をも合わせて防止できる。雪面の冷却には、低温冷凍機の低温運転が必要であり、上記のごとく負荷増大を防止できることによって、省エネルギーをも合わせて効果的に達成することができる。
【図面の簡単な説明】
【図１】本発明の一実施形態例に係るスノーボードゲレンデの設備を示す構成説明図である。
【図２】本発明の一実施形態例に係る雪面温度管理装置を示す構成説明図である。
【図３】本発明の一実施形態例に係る各種空気条件における雪面上空気の露点温度(雪面温度)を示す特性図である。
【図４】本発明の一実施形態例に係る屋内雪層施設内における空気の温湿度の変化を示す特性図である。
【符号の説明】
１  建屋
２  傾斜床
３  雪層
４  低温冷凍機
５  循環路
６  熱交換器（冷却手段）
７  雪面温度管理装置
８  冷却減湿器
９  加熱器
１０  加湿器
１１  空調機
１２  吸い込み口
１３  外気ダクト
１４  還気ダクト
１５  給気ダクト
１６  給気口
１７  温度センサ
１８  湿度センサ
１９  温湿度制御器
２０  排気風路
２１  外気温度センサ
２２  外気湿度センサ
２３  日射量センサ
２４  入場者数を計数する出退管理装置
２５  空調機の給気温度センサ
２６  空調機の還気温度センサ
２７  空調機の給気露点温度センサ
２８  空調機の還気露点温度センサ
２９  空調機の送風量センサ
３０  屋内雪層施設内の空気温度センサ(空気側温度推定手段)
３１  屋内雪層施設内の空気湿度センサ
３２  冷却手段の冷媒往温度センサ
３３  冷却手段の冷媒還温度センサ(空気側温度推定手段)
３４  冷却手段の冷媒流量センサ
３５  雪面の温度センサ(雪層側温度検出手段)
３６  屋内雪層施設内の空気温度センサ(冷却量推定手段)
３７  雪面の温度センサ(冷却量推定手段)
３８  氷温度センサ
３９  冷却手段の冷媒還温度センサ(冷却量推定手段)
４０  推定された雪面上空気の露点温度
４１  遅延回路(5時刻分のデータ蓄積)
４２  ゲレンデ温湿度予測ニューロモデル
４３  雪面上空気絶対湿度増減量推定ファジィモデル
４４  遅延回路(2時刻分のデータ蓄積)
４５  冷媒還温度予測ニューロモデル
４６  温度5℃相対湿度50%の空気条件
４７  温度5℃相対湿度50%の空気条件を持った雪面上空気の露点
４８  温度4℃相対湿度50%の空気条件
４９  温度4℃相対湿度50%の空気条件を持った雪面上空気の露点
５０  温度7℃相対湿度45%の空気条件
５１  温度7℃相対湿度45%の空気条件を持った雪面上空気の露点
５２  温度10℃の空気条件
５３  温度0℃の空気条件
５４  外気温度
５５  屋内雪層施設内の空気の温度
５６  屋内雪層施設内の空気の湿度
５７  屋内雪層施設内の空気の露点温度
Ａ  屋内空間
Ｂ  雪面上空気
Ｃ  吸い込み口からの還気
Ｄ  外気ダクトからの取り入れ外気
【図１】
0004342026.tif 000002
【図２】
0004342026.tif 000003
【図３】
0004342026.tif 000004
【図４】
0004342026.tif 000005